(57)【要約】【課題】認証精度を向上し得る照合装置等を提案する。【解決手段】撮像素子における照度に応じて変動する変動情報を検出する検出手段と、検出手段により検出された変動情報に対応付けられたフィルタ係数を用いて、撮像素子から出力される画像信号に対して空間フィルタ処理を施し、該画像信号に含まれる生体識別対象を抽出するフィルタ手段と、フィルタ手段により空間フィルタ処理された画像信号から登録データを生成し、記憶媒体に記憶する登録手段とを設けるようにした。【選択図】図８
2007334854.tif 000002
【特許請求の範囲】
【請求項１】
撮像素子における照度に応じて変動する変動情報を検出する検出手段と、
上記検出手段により検出された変動情報に対応付けられたフィルタ係数を用いて、上記撮像素子から出力される画像信号に対して空間フィルタ処理を施し、該画像信号に含まれる生体識別対象を抽出するフィルタ手段と、
上記フィルタ手段により空間フィルタ処理された画像信号から登録データを生成し、記憶媒体に記憶する登録手段と
を具えることを特徴とする登録装置。
【請求項２】
上記変動情報は、
上記撮像素子から出力される画像信号の明度である
ことを特徴とする請求項１に記載の登録装置。
【請求項３】
上記変動情報は、
上記撮像素子から出力される画像信号のレベルが一定となるように上記照度が調整され、該調整に応じて設定されたパラメータである
ことを特徴とする請求項１に記載の登録装置。
【請求項４】
上記フィルタ手段は、
上記撮像素子から出力される画像信号に含まれる生体識別対象の輪郭を抽出する輪郭抽出手段を含み、
抽出された上記輪郭に囲まれる領域に対して上記空間フィルタ処理を施す
ことを特徴とする請求項１に記載の登録装置。
【請求項５】
上記登録手段は、
上記領域の面積が所定の閾値以上となる場合には、上記フィルタ手段により空間フィルタ処理された画像信号から登録データを生成し、
上記領域の面積が上記閾値未満となる場合には、上記フィルタ手段により空間フィルタ処理された画像信号を破棄する
ことを特徴とする請求項４に記載の登録装置。
【請求項６】
上記検出手段は、
上記輪郭に囲まれる領域の明度を検出する
ことを特徴とする請求項４に記載の登録装置。
【請求項７】
上記検出手段は、
上記輪郭に囲まれる領域の中央部分の明度を検出する
ことを特徴とする請求項６に記載の登録装置。
【請求項８】
上記検出手段は、
上記撮像素子から出力される画像信号のレベルが一定となるように外光照度が調整され、該調整に応じて設定されたパラメータを検出する第１の検出手段と、
上記パラメータの値が、一定以上の上記外光照度を表す値よりも大きい場合に、上記撮像素子から出力される画像信号の明度を検出する第２の検出手段と
を具えることを特徴とする請求項１に記載の登録装置。
【請求項９】
撮像素子における照度に応じて変動する変動情報を検出する検出手段と、
上記検出手段により検出された変動情報に対応付けられたフィルタ係数を用いて、上記撮像素子から出力される画像信号に対して空間フィルタ処理を施し、該画像信号に含まれる生体識別対象を抽出するフィルタ手段と、
上記フィルタ手段により空間フィルタ処理された画像信号と、登録されたデータとを照合する照合手段と
を具えることを特徴とする照合装置。
【請求項１０】
上記変動情報は、
上記撮像素子から出力される画像信号の明度である
ことを特徴とする請求項９に記載の照合装置。
【請求項１１】
上記変動情報は、
上記撮像素子から出力される画像信号のレベルが一定となるように上記照度が調整され、該調整に応じて設定されたパラメータである
ことを特徴とする請求項９に記載の照合装置。
【請求項１２】
上記フィルタ手段は、
上記撮像素子から出力される画像信号に含まれる生体識別対象の輪郭を抽出する輪郭抽出手段を含み、
抽出された上記輪郭に囲まれる領域に対して上記空間フィルタ処理を施す
ことを特徴とする請求項９に記載の照合装置。
【請求項１３】
上記照合手段は、
上記領域の面積が所定の閾値以上となる場合には、上記フィルタ手段により空間フィルタ処理された画像信号と、登録されたデータとを照合し、
上記領域の面積が上記閾値未満となる場合には、上記フィルタ手段により空間フィルタ処理された画像信号を破棄する
ことを特徴とする請求項１２に記載の照合装置。
【請求項１４】
上記検出手段は、
上記輪郭に囲まれる領域の明度を検出する
ことを特徴とする請求項１２に記載の照合装置。
【請求項１５】
上記検出手段は、
上記輪郭に囲まれる領域の中央部分の明度を検出する
ことを特徴とする請求項１４に記載の照合装置。
【請求項１６】
上記検出手段は、
上記撮像素子から出力される画像信号のレベルが一定となるように外光照度が調整され、該調整に応じて設定されたパラメータを検出する第１の検出手段と、
上記パラメータの値が、一定以上の上記外光照度を表す値よりも大きい場合に、上記撮像素子から出力される画像信号の明度を検出する第２の検出手段と
を具えることを特徴とする請求項９に記載の照合装置。
【請求項１７】
撮像素子における照度に応じて変動する変動情報を検出する第１のステップと、
上記第１のステップで検出された変動情報に対応付けられたフィルタ係数を用いて、上記撮像素子から出力される画像信号に対して空間フィルタ処理を施し、該画像信号に含まれる生体識別対象を抽出する第２のステップと、
上記空間フィルタ処理された画像信号から、登録データとして又は当該登録データと照合すべきデータとして生成する第３のステップと
を具えることを特徴とする抽出方法。
【請求項１８】
コンピュータに対して、
撮像素子における照度に応じて変動する変動情報を検出すること、
上記第１のステップで検出された変動情報に対応付けられたフィルタ係数を用いて、上記撮像素子から出力される画像信号に対して空間フィルタ処理を施し、該画像信号に含まれる生体識別対象を抽出すること、
上記空間フィルタ処理された画像信号から、登録データとして又は当該登録データと照合すべきデータとして生成すること
を実行させることを特徴とするプログラム。
【発明の詳細な説明】
【技術分野】
【０００１】
本発明は、登録装置、照合装置、抽出方法及びプログラムに関し、バイオメトリクス認証する場合に適用して好適なものである。
【背景技術】
【０００２】
従来、バイオメトリクス認証対象の１つとして血管がある。一般に、認証装置は、例えば指を撮像カメラの撮像面と平行となるように撮像カメラ上に固定させ、当該固定された指における血管を撮像する。そして認証装置は、撮像した結果得られる血管の画像を、そのとき撮像した生体を識別するための情報としてメモリ等に登録する又は当該登録された血管の画像と比較して登録者本人であるか否かを判定するようになされている。
【０００３】
ところで、血管を撮像する場合、外光を遮蔽するユニットを有する構造を採用したもの（例えば特許文献１及び特許文献２参照）と、外光を遮蔽するユニットを省略した構造を採用したもの（例えば特許文献３及び特許文献４参照）とがある。
【０００４】
一般に、血管を撮像する場合、外光を遮蔽するユニットを有する構造を採用したものは大型化する傾向にあり、近年における小型化の要請などに起因して、外光を遮蔽するユニットを省略した構造を採用したものが数多く提案されている。
【特許文献１】特開２００４−１３１９２７公報
【特許文献２】特開２００５−７１３１７公報
【特許文献３】特開２００５−３１２７４９公報
【特許文献４】特開２００４−２６５２６９公報
【発明の開示】
【発明が解決しようとする課題】
【０００５】
ところが、外光を遮蔽するユニットを省略した構造を採用した場合、撮像環境や撮像状況などに応じて、撮像対象の指に対する照度がおおよそ均一にならないことがある。
【０００６】
そうすると、撮像環境や撮像状況などに応じて、登録時と撮像時における撮像対象に対する照度に差異が生じ、この差異が、同一の撮像対象であるにもかかわらず血管抽出処理結果に反映されるといったケースが想定され、ひいては認証精度がもとる結果となる。
【０００７】
本発明は以上の点を考慮してなされたもので、認証精度を向上させ得る登録装置、照合装置、抽出方法及びプログラムを提案しようとするものである。
【課題を解決するための手段】
【０００８】
かかる課題を解決するため本発明は、登録装置であって、撮像素子における照度に応じて変動する変動情報を検出する検出手段と、検出手段により検出された変動情報に対応付けられたフィルタ係数を用いて、撮像素子から出力される画像信号に対して空間フィルタ処理を施し、該画像信号に含まれる生体識別対象を抽出するフィルタ手段と、フィルタ手段により空間フィルタ処理された画像信号から登録データを生成し、記憶媒体に記憶する登録手段とを設けるようにした。
【０００９】
この登録装置は、該登録装置に対する外光（つまり撮像素子に入射する光の照度）に応じた空間フィルタ処理により、その画像信号のうち、撮像環境や撮像状況などの外光変動に起因して生じる画像のむらなどを目立たなくすることができる。したがって、この登録装置は、画像信号に含まれる生体識別対象を、外光変動に応じて大きく変化させずに登録情報として登録することが可能となる。
【００１０】
また本発明は、照合装置であって、撮像素子における照度に応じて変動する変動情報を検出する検出手段と、検出手段により検出された変動情報に対応付けられたフィルタ係数を用いて、撮像素子から出力される画像信号に対して空間フィルタ処理を施し、該画像信号に含まれる生体識別対象を抽出するフィルタ手段と、フィルタ手段により空間フィルタ処理された画像信号と、登録されたデータを照合する照合手段とを設けるようにした。
【００１１】
従って、この照合装置では、該照合装置に対する外光（つまり撮像素子に入射する光の照度）に応じた空間フィルタ処理により、その画像信号のうち、撮像環境や撮像状況などの外光変動に起因して生じる画像のむらなどを目立たなくすることができる。したがって、この照合装置は、画像信号に含まれる生体識別対象を、外光変動に応じて大きく変化させずに、登録された生体識別対象と照合することが可能となる。
【００１２】
さらに本発明は、抽出方法であって、撮像素子における照度に応じて変動する変動情報を検出する第１のステップと、第１のステップで検出された変動情報付けられたフィルタ係数を用いて、撮像素子から出力される画像信号に対して空間フィルタ処理を施し、該画像信号に含まれる生体識別対象を抽出する第２のステップと、空間フィルタ処理された画像信号から、登録データとして又は当該登録データと照合すべきデータとして生成する第３のステップとを設けるようにした。
【００１３】
従って、この抽出方法では、撮像素子に入射する光の照度に応じた空間フィルタ処理により、その画像信号のうち、撮像環境や撮像状況などの外光変動に起因して生じる画像のむらなどを目立たなくすることができる。したがって、この抽出方法は、画像信号に含まれる生体識別対象を、外光変動に応じて大きく変化させずに、登録情報として又は登録情報と照合すべき情報として生成することが可能となる。
【００１４】
さらに本発明は、プログラムであって、コンピュータに対して、撮像素子における照度に応じて変動する変動情報を検出すること、検出された変動情報に対応付けられたフィルタ係数を用いて、撮像素子から出力される画像信号に対して空間フィルタ処理を施し、該画像信号に含まれる生体識別対象を抽出すること、空間フィルタ処理された画像信号から、登録データとして又は当該登録データと照合すべきデータとして生成することを実行させるようにした。
【００１５】
従って、このプログラムでは、撮像素子に入射する光の照度に応じた空間フィルタ処理により、その画像信号のうち、撮像環境や撮像状況などの外光変動に起因して生じる画像のむらなどを目立たなくすることができる。したがって、このプログラムは、画像信号に含まれる生体識別対象を、外光変動に応じて大きく変化させずに、登録情報として又は登録情報と照合すべき情報として生成することが可能となる。
【発明の効果】
【００１６】
本発明によれば、画像信号に含まれる生体識別対象を、外光変動に応じて大きく変化させずに、登録情報として又は登録情報と照合すべき情報として生成することができるようにしたことにより、同一の撮像対象であるにもかかわらずその画像信号に含まれる生体識別対象が異なるといったことを未然に防止することができ、かくして認証精度を向上させ得る登録装置、照合装置、抽出方法及びプログラムを実現できる。
【発明を実施するための最良の形態】
【００１７】
以下図面について、本発明を適用した一実施の形態を詳述する。
【００１８】
（１）本実施の形態による認証装置の全体構成
図１において、本実施の形態による認証装置１の全体構成を示す。この認証装置１は、制御部１０に対して、操作部１１と、血管撮像部１２と、フラッシュメモリ１３、外部とデータを授受するインターフェース（以下、これを外部インターフェースと呼ぶ）１４及び通知部１５をそれぞれバス１６を介して接続することにより構成される。
【００１９】
制御部１０は、認証装置１全体の制御を司るＣＰＵ(Central Processing Unit)と、各種プログラム及び設定情報が格納されるＲＯＭ(Read Only Memory)と、当該ＣＰＵのワークメモリとしてのＲＡＭ(Random Access Memory)とを含むコンピュータとなっている。
【００２０】
この制御部１０には、登録対象のユーザ（以下、これを登録者と呼ぶ）の血管を登録するモード（以下、これを血管登録モードと呼ぶ）の実行命令ＣＯＭ１又は登録者本人の有無を判定するモード（以下、これを認証モードと呼ぶ）の実行命令ＣＯＭ２が、ユーザ操作に応じて操作部１１から与えられる。
【００２１】
制御部１０は、かかる実行命令ＣＯＭ１、ＣＯＭ２に基づいて実行すべきモードを決定し、この決定結果に対応するプログラムに基づいて、血管撮像部１２、フラッシュメモリ１３、外部インターフェース１４及び通知部１５を適宜制御することによって、血管登録モード又は認証モードを実行するようになされている。
【００２２】
（１−１）血管登録モード
具体的に制御部１０は、実行すべきモードとして血管登録モードを決定した場合、動作モードを血管登録モードに遷移し、血管撮像部１２を制御する。
【００２３】
この場合、血管撮像部１２の駆動制御部１２ａは、この認証装置１における所定位置に配された指に対して近赤外光を照射する１又は２以上の近赤外光光源ＬＳと、撮像カメラＣＭにおける例えばＣＣＤ(Charge Coupled Device)でなる撮像素子ＩＤとを駆動制御する。
【００２４】
この結果、血管撮像部１２では、指に照射された近赤外光は、当該指の内方を反射及び散乱するようにして経由し、指の血管を投影する光（以下、これを血管投影光と呼ぶ）として、光学系ＯＰや絞りＤＨを介して撮像素子ＩＤに入射する。撮像素子ＩＤは、この血管投影光を光電変換し、当該光電変換結果を画像信号Ｓ１として駆動制御部１２ａに出力する。
【００２５】
ちなみに、指に照射される近赤外光は、実際には、当該指の表面で反射して撮像素子ＩＤに入射するものもあるため、この撮像素子ＩＤから出力される画像信号Ｓ１の画像は、指内方の血管だけではなく、指輪郭や指紋も含まれた状態となる。
【００２６】
駆動制御部１２ａは、この画像の画素値に基づいて、指内方の血管に焦点が合うように光学系ＯＰにおける光学レンズのレンズ位置を調整するとともに、撮像素子ＩＤに入射する入射光量が適応量となるように撮像素子ＩＤに対する露光時間を調整し、当該調整後に撮像素子ＩＤから出力される画像信号Ｓ２を制御部１０に供給する。
【００２７】
制御部１０は、この画像信号Ｓ２に対して所定の画像処理を施し、該画像処理により血管の形成パターン（以下、これを血管パターンと呼ぶ）が抽出された画像を、登録者を識別するための情報（以下、これを登録者識別データと呼ぶ）Ｄ１としてフラッシュメモリ１３に記憶することにより登録する。
【００２８】
このようにしてこの制御部１０は、血管登録モードを実行することができるようになされている。
【００２９】
（１−２）認証モード
一方、制御部１０は、実行すべきモードとして認証モードを決定した場合には、認証モードに遷移し、上述の血管登録モードの場合と同様にして血管撮像部１２を制御する。
【００３０】
この場合、血管撮像部１２は、近赤外光光源ＬＳ及び撮像素子ＩＤを駆動制御するとともに、当該撮像素子ＩＤから出力される画像信号Ｓ１０に基づいて光学系ＯＰにおける光学レンズのレンズ位置及び撮像素子ＩＤの露光時間を調整し、当該調整後に撮像素子ＩＤから出力される画像信号Ｓ２０を制御部１０に供給する。
【００３１】
制御部１０は、この画像信号Ｓ２０に対して、上述の血管登録モードと同一の画像処理を施すとともに、フラッシュメモリ１３に登録された登録者識別データＤ１を読み出す。そして制御部１０は、この画像処理により抽出された血管パターンと、登録者識別データＤ１の血管パターンとを照合し、当該合致の程度に応じて、このとき指を配したユーザが登録者（正規ユーザ）であるか否かを判定する。
【００３２】
ここで、制御部１０は、登録者であると判定したときには、外部インターフェース１４に接続された動作処理装置（図示せず）に対して所定の動作を行わせる実行命令ＣＯＭ３を生成し、これを外部インターフェース１４を介して動作処理装置に転送する。
【００３３】
この外部インターフェース１４に接続された動作処理装置の実施態様として、例えば閉錠状態にあるドアを採用した場合、制御部１０は、開錠動作を行わせる実行命令ＣＯＭ３をドアに転送する。また他の動作処理装置の実施態様例として、複数の動作モードのうち一部の動作モードを制限した状態にあるコンピュータを採用した場合、制御部１０は、その制限された動作モードを開放させる実行命令ＣＯＭ３をコンピュータに転送する。
【００３４】
なお、実施態様として２つ例を挙げたが、これらに限らず、他の実施態様も適宜選択することができる。また、本実施の形態では、動作処理装置を外部インターフェース１４に接続するようにしたが、当該動作処理装置におけるソフトウェア乃至ハードウェアの構成をこの認証装置１に搭載するようにしてもよい。
【００３５】
これに対して、制御部１０は、登録者ではないと判定したときには、その旨を通知部１５の表示部１５ａを介して表示するとともに、当該通知部１５の音声出力部１５ｂを介して音声出力することによって、当該登録者ではないと判定されたことを視覚的及び聴覚的に通知する。
【００３６】
このようにしてこの制御部１０は、認証モードを実行することができるようになされている。
【００３７】
（２）撮像部の構造と、認証精度との関係
この実施の形態における血管撮像部１２では、小型化や部品数削減等の要請により、認証装置１における筺体表面に配される指に到来する可視光等の外光を遮蔽するユニットを省略した構造が採用されている。
【００３８】
外光を遮蔽するユニットを省略した構造では、撮像環境や撮像状況などに応じて、例えば認証装置１における筺体表面に配した指に対する照度が局所的に大きくなる等によって、撮像素子ＩＤの撮像面に対する光量がおおよそ均一にならないことが多い。
【００３９】
そうすると、撮像環境や撮像状況などに応じて、同一の撮像対象を撮像した場合であっても、登録時に撮像された画像と、撮像時に撮像された画像とには差異が生じ、この差異に起因して、血管の形成パターンが変化するといったケースが想定される。
【００４０】
例えば図３に示すように、登録時には、撮像素子ＩＤの撮像面に対する光量がおおよそ均一な状態で撮像された画像（図２（Ａ））から抽出される血管（図２（Ｂ））が登録される一方、認証時には、撮像面の一部分に対する光量が他の部分に比して極端に多い状態で撮像されたとする。
【００４１】
このケースでは、認証時における画像では対応部分が白地となり（図２（Ｃ））、当該画像から抽出される血管（図２（Ｄ））と、登録対象の血管（図２（Ｂ））とが相違する。従って、このケースでは、登録者本人であるにもかかわらず第三者であると判定されるといった結果を招くこととなる。なお、この図２では、撮像された画像（図２（Ａ）、（Ｃ））内の血管と、当該画像から抽出された血管（図２（Ｂ）、（Ｄ））とは、説明の便宜上、完全同一とした。
【００４２】
このように、撮像素子ＩＤの撮像面に対する光量（以下、これを外光照度と呼ぶ）の局所的差異に起因して、本人拒否率（ＦＲＲ:False Rejection Rate）及び他人受入率（ＦＡＲ:False Acceptance Rate）が高くなり、この結果、認証精度が低下することになる。
【００４３】
（３−Ａ）第１の実施の形態における制御部の処理内容
この認証装置１の制御部１０では、外光照度に起因して生じるノイズ成分を低減させる画像処理及び照合処理が、第１の実施の形態の処理として採用されている。
【００４４】
（３−Ａ−１）機能的構成
この第１の実施の形態における制御部１０の処理は、機能的には、図３に示すように、前処理部２１、マスクパターン生成部２２、明度検出部２３、平滑化部２４、特徴抽出部２５、登録画像切出部２６及び照合部２７の各部にそれぞれ分けることができる。
【００４５】
血管登録モードでは、前処理部２１、明度検出部２３、平滑化部２４及び特徴抽出部２５を順次介して画像処理が施され、当該画像処理結果として得られる登録者識別データＤ１（図１）がフラッシュメモリ１３（図１）に登録される。
【００４６】
一方、認証モードでは、血管登録モードと同一の画像処理（前処理部２１〜特徴抽出部２５）が施された後、登録画像切出部２６及び照合部２７を順次介して照合処理が実行され、当該照合処理結果として登録者（正規ユーザ）であるか又は第三者であるかが判定される。
【００４７】
以下、制御部１０における認証モード時の各機能部をそれぞれ説明する。
【００４８】
前処理部２１は、駆動制御部１２ａから、該駆動制御部１２ａで設定された撮像素子ＩＤに対する露光時間を取得し、この露出時間が所定の露出範囲内であるか否かを判定する。ここで、露出時間は、撮像素子ＩＤに入射する光量に直接的に反映されるものであり、所定の閾値以上となる場合には、撮像時に要する光がそもそも得られていないことを意味する。
【００４９】
したがって、前処理部２１は、駆動制御部１２ａから取得した露光時間の値が閾値以上である場合には、この認証モードを停止するとともに、再撮像すべき旨を通知部（図１）を介して通知するようになされている。
【００５０】
これに対して前処理部２１は、露光時間の値が閾値未満である場合には、血管撮像部１２から供給される画像信号Ｓ２０に対してＡ／Ｄ(Analog/Digital)変換処理及び例えばソーベルフィルタ処理等の所定の輪郭抽出処理を施し、この輪郭抽出処理により抽出される指輪郭に囲まれる領域の面積が所定の閾値未満であるか否かを判定する。
【００５１】
ここで、前処理部２１は、指輪郭の面積が閾値未満であるときには、照合対象に適した画像ではないとして、この認証モードを停止するとともに、再撮像すべき旨を通知部（図１）を介して通知する一方、閾値以上であるときには、照合対象に適した画像であるとして、画像データＤ２１をマスクパターン生成部２２、明度検出部２３及び平滑化部２４にそれぞれ送出する。
【００５２】
マスクパターン生成部２２は、画像データＤ２１の画像から指輪郭を認識し、例えば図４に示すように、当該領域をマスクしたパターン画像（以下、これをマスクパターンと呼ぶ）を生成し、これをマスクパターンデータＤ２２として登録画像切出部２６に送出する。
【００５３】
一方、明度検出部２３は、画像データＤ２１の画像から指輪郭を認識し、例えば図５に示すように、当該指輪郭内における判定領域ＡＲを選択し、この判定領域ＡＲにおける画素の輝度を合計する。そして明度検出部２３は、合計輝度値をデータ（以下、これを明度データと呼ぶ）Ｄ２３として平滑化部２４に送出する。
【００５４】
なお、判定領域ＡＲの選択手法として、この実施の形態の場合、指輪郭を内包する最小の矩形枠ＲＦにおける対角線の交点ＩＰから、当該指輪郭内における隣接画素を所定数となるまで順次選択する手法が採用される。
【００５５】
これによりこの実施の形態における明度検出部２３は、外光照度の局所的差異に起因して、例えば図６に示すような指輪郭が抽出された場合、また指径に個人差があった場合であっても、指のうち血管が非存在の部分が明度データＤ２３に反映されるといったことを未然に防止できるため、血管が密集する部分に対応する照度をより一段と忠実に把握することができるようになされている。
【００５６】
平滑化部２４は、ガウシアン（Gaussian）フィルタ処理によって画像を平滑化する前に、明度データＤ２３の合計輝度値と、予め設定された閾値との比較結果に応じて、当該平滑フィルタのフィルタ係数を設定する。
【００５７】
具体的に合計輝度値が閾値以上の場合、このことは、画像データＤ２１の画像（図２（Ｃ））のうち、血管の特徴を抽出すべき部分に対応する外光照度が大きいことを意味する。したがって、平滑化部２４は、この場合には、平滑フィルタ（ガウシアンフィルタ）のフィルタ係数を、高輝度に対応付けされたものに設定する。
【００５８】
これに対して、外光照度が閾値よりも小さい場合、このことは、血管の特徴を抽出すべき部分に対応する外光照度が小さいことを意味する。したがって、平滑化部２４は、この場合には、平滑フィルタ（ガウシアンフィルタ）のフィルタ係数を、低輝度に対応付けされたものに設定する。
【００５９】
この状態において平滑化部２４は、前処理部２１から供給される画像データＤ２１に対して、設定したフィルタ係数を用いてガウシアンフィルタ処理を施し、この結果得られる画像データＤ２４を特徴抽出部２５に送出する。
【００６０】
特徴抽出部２５は、平滑化部２４から供給される画像データＤ２４に対して、例えば２値化処理及び細線化処理を施すようにして血管の特徴を抽出し、この結果得られる血管を、照合対象者の特徴を表すデータ（以下、これを照合対象者特徴データと呼ぶ）Ｄ２５として照合部２７に送出する。
【００６１】
このように制御部１０は、外光照度の局所的差異に起因して撮像されなかった部分を除外し、当該撮像された部分については、その部分の中央領域における明るさに応じて平滑化の程度を切り換えることができるようになされている。
【００６２】
登録画像切出部２６は、フラッシュメモリ１３（図１）から登録者識別データＤ１を読み出し、例えば図７に示すように、当該読み出した登録者識別データＤ１の血管（図７（Ａ））のうち、マスクパターン生成部２２から供給されるマスクパターンデータＤ２２のマスクパターン（図７（Ｂ））に対応する血管部分を切り出す（図７（Ｃ））。
【００６３】
そして登録画像切出部２６は、この切り出した血管部分（図７（Ｃ））のデータを登録者識別データＤ２６として照合部２７に送出する。
【００６４】
この結果、この登録者識別データＤ２６は、既に登録された登録者識別データＤ１の血管（図７（Ａ））のうち、外光照度の局所的差異に起因して撮像されなかった部分を除いたデータとなり、当該部分は照合対象から除外されることとなる。
【００６５】
照合部２７は、登録者識別データＤ２６の血管と、照合対象者特徴データＤ２５の血管を照合し、当該照合結果として、このとき指を配したユーザが登録者（正規ユーザ）であると判定した場合には、動作処理装置（図示せず）に対して所定の動作を行わせる実行命令ＣＯＭ３を外部インターフェース１４（図１）に送出する。
【００６６】
このように制御部１０は、既に登録された血管のうち外光照度の局所的差異に起因して撮像されなかった部分を照合対象から除外した後（図７）、照合することができるようになされている。
【００６７】
（３−Ａ−２）第１の実施の形態における制御部の認証処理手順
次に、上述した第１の実施の形態における制御部１０の認証処理手順について、図８に示すフローチャートを用いて説明する。
【００６８】
すなわち制御部１０は、実行命令ＣＯＭ２を受けると、この認証処理手順ＲＴ１をステップＳＰ０において開始し、続くステップＳＰ１において、血管撮像部１２を駆動制御部１２ａを介して制御する。
【００６９】
そして制御部１０は、ステップＳＰ２において、血管撮像部１２における撮像素子ＩＤの露出時間が所定の閾値未満であり、かつ、該血管撮像部１２での撮像結果として得られる画像信号Ｓ２０の指輪郭により囲まれる領域が所定の面積以上であるか否かを判定する。
【００７０】
制御部１０は、肯定結果を得た場合には、ステップＳＰ３に進んで、画像信号Ｓ２０の指輪郭により囲まれる領域をマスクパターンとして生成し（図４）、続くステップＳＰ４において、該画像信号Ｓ２０の画像のうち、指輪郭内における判定領域ＡＲ（図５）を選択する。
【００７１】
そして制御部１０は、ステップＳＰ５に進んで、この判定領域ＡＲにおける画素の輝度値の合計を検出し、続くステップＳＰ６において、当該合計輝度値が閾値以上であるか否かを判定する。
【００７２】
制御部１０は、合計輝度値が閾値以上である場合には、ステップＳＰ７において、高輝度に対応する値のフィルタ係数を設定し、これに対して閾値よりも小さい場合には、ステップＳＰ８において、低輝度に対応する値のフィルタ係数を設定する。
【００７３】
この後、制御部１０は、ステップＳＰ９において、設定したフィルタ係数を用いて、画像データＤ２１に対してガウシアンフィルタ処理及び例えば２値化処理及び細線化処理を施すようにして血管の特徴を抽出する。
【００７４】
そして制御部１０は、続くステップＳＰ１０において、フラッシュメモリ１３（図１）から登録者識別データＤ１を読み出し、続くステップＳＰ１１において、この登録者識別データＤ１の血管（図７（Ａ））のうち、ステップＳＰ３で生成したマスクパターン（図７（Ｂ））に対応する血管部分を切り出す（図７（Ｃ））。
【００７５】
次いで、制御部１０は、ステップＳＰ１２において、この登録者識別データＤ１から切出した血管部分の特徴と、ステップＳＰ９で抽出した血管の特徴、つまりマスクパターンに対応する部分における血管の特徴同士を照合し、続くステップＳＰ１３において、当該照合結果として得られる類似度が閾値以上であるか否かを判定する。
【００７６】
制御部１０は、類似度が閾値以上である場合には、ステップＳＰ１４において、動作処理装置（図示せず）に対して外部インターフェース１４（図１）を介して所定の処理を実行させた後、ステップＳＰ１５に進んでこの認証処理手順ＲＴ１を終了する。
【００７７】
これに対して、類似度が閾値未満である場合には、制御部１０は、ステップＳＰ１６において、登録者ではない旨を通知部１５（図１）を介して通知した後、ステップＳＰ１５に進んでこの認証処理手順ＲＴ１を終了する。
【００７８】
なお、ステップＳＰ２において、血管撮像部１２における撮像素子ＩＤの露出時間が所定の閾値未満であり、かつ、該血管撮像部１２での撮像結果として得られる画像信号Ｓ２０の指輪郭により囲まれる領域が所定の面積以上である場合、このことは、外光照度の局所的差異に起因して、照合対象となる領域が、本来照合対象となるべき領域に比して極端に欠落していることを意味する。従ってこの場合には、制御部１０は、上述のステップＳＰ３以降の各種処理を実行することなく、ステップＳＰ１５に進んでこの認証処理手順ＲＴ１を終了する。
【００７９】
このような認証処理手順ＲＴ１に従って、制御部１０は認証モードを実行することができるようになされている。
【００８０】
ちなみに、血管登録モードの場合、制御部１０は、実行命令ＣＯＭ１を受けると、ステップＳＰ１からステップＳＰ９までの各種処理を実行し、当該処理結果として抽出される血管の特徴を登録者識別データＤ１（図１）としてフラッシュメモリ１３（図１）に登録するようになされている。
【００８１】
（３−Ａ−３）動作及び効果
以上の構成において、この認証装置１は、撮像素子ＩＤにおける照度に応じて変動する変動情報として、該撮像素子ＩＤから出力される画像信号Ｓ２又はＳ２０の輝度を検出し、当該検出した輝度に対応する平滑フィルタ係数を用いて、その画像信号Ｓ２又はＳ２０に対して平滑処理を施す。
【００８２】
この認証装置１は、撮像素子ＩＤに入射する光の照度に応じた平滑化により、その画像信号Ｓ２又はＳ２０のうち、撮像環境や撮像状況などの外光変動に起因するむらなどを目立たなくすることができる。いいかえれば、この認証装置１では、撮像素子ＩＤに入射する光の照度に対応する血管深度（指腹面からの深さ）の面が撮像面となるように画像が補正（平滑化）されていることになる。
【００８３】
したがって、この認証装置１は、外光変動に応じて、画像信号Ｓ２又はＳ２０に含まれる生体識別対象を、外光変動に応じて大きく変化させずに、登録情報として又は登録情報と照合すべき情報として生成することができ、この結果、登録時及び認証時における外光変動の差異を吸収することができる。
【００８４】
また、この認証装置１は、撮像素子ＩＤから出力される画像信号Ｓ２又はＳ２０の輝度を検出する前に、駆動制御部１２ａを介して、該撮像素子ＩＤの光露光時間を調整（ＡＬＣ(Auto Light Control)し、その調整後の光露光時間が一定以上の外光照度を表す値となる場合に、画像信号Ｓ２又はＳ２０の輝度を検出する。
【００８５】
仮に、撮像素子ＩＤから出力される画像信号Ｓ２又はＳ２０の輝度を単に検出するだけであった場合、その画像信号Ｓ２又はＳ２０はＡＧＣにより適正の明るさになった結果であるため、該画像信号Ｓ２又はＳ２０の輝度が本来の外光に相当するものであるのか、本来の外光ではなかったのに適当な光があるものとして補正されてしまった結果に相当するものであるのかが分からない。
【００８６】
これに対し、この実施の形態の認証装置１では、撮像素子ＩＤの露光時間が一定以上の外光照度を表す値となる場合に、画像信号Ｓ２又はＳ２０の輝度が検出されるため、確実に、輝度が本来の外光に相当する輝度となる画像信号Ｓ２又はＳ２０を平滑化することができ、この結果、登録時及び認証時における外光変動の差異を吸収することができる。またこの場合、本来の外光が当たってないのに撮像素子ＩＤから得られる画像信号Ｓ２又はＳ２０、つまり、ある一定の成りすまし行為として得られる画像信号を排除することも可能となる。
【００８７】
さらに、この認証装置１は、認証時において、撮像素子ＩＤから出力される画像信号Ｓ２０に含まれる生体識別対象の輪郭に囲まれる領域を平滑化し、該平滑化された領域に含まれる生体識別対象の特徴と、登録された生体識別対象の特徴のうちその領域に対応する部分とを照合する（図７）。
【００８８】
したがって、この認証装置１では、既に登録された生体識別対象との照合対象となる生体識別対象のうち、撮像環境や撮像状況などの外光変動に起因して撮像されなかった領域を除外することができ、この結果、登録時及び認証時における外光変動の差異を、より一段と吸収することができる。
【００８９】
以上の構成によれば、画像信号Ｓ２又はＳ２０に含まれる生体識別対象を、外光変動によって大きく変化させずに、登録情報として又は登録情報と照合すべき情報として生成するようにしたことにより、同一の撮像対象であるにもかかわらずその画像信号に含まれる生体識別対象が異なるといったことを防止することができ、かくして認証精度を向上し得る認証装置１を実現できる。
【００９０】
（３−Ｂ）第２の実施の形態における制御部の処理内容
この認証装置１の制御部１０では、入力される画像データがいわゆる成りすまし行為によるものであるか否かを検出する処理を含む処理が、第２の実施の形態の処理として採用されている。
【００９１】
（３−Ｂ−１）機能的構成
この第２の実施の形態における制御部１０の処理は、機能的には、図３との対応部分に同一符号を付した図９に示すように、前処理部２１、マスクパターン生成部２２、平滑化部５４、特徴抽出部２５、登録画像切出部２６及び照合部２７の各部にそれぞれ分けることができる。
【００９２】
この第２の実施の形態における制御部１０の画像処理では、第１の実施の形態における制御部１０の画像処理のうち、明度検出部２３に相当する処理部がなくなり、平滑化部２４が、平滑化部５４に代替されている点で相違する。
【００９３】
この平滑化部５４は、基準とされる第１のフィルタ係数と、該基準のフィルタ係数に比して平滑化の程度が大きい又は小さい第２のフィルタ係数とを用いて、入力画像（画像データＤ２１）に対して例えばＬＯＧフィルタと呼ばれるフィルタ処理をそれぞれ施す。ちなみに、このＬＯＧフィルタは、２次元上では、次式
【００９４】
【数１】
2007334854.tif 000003
【００９５】
として表すことができ、図１０に示す形状となる。
【００９６】
ここで、上述したように、平滑化は、その平滑化の程度（フィルタ係数）に応じて、撮像面の位置を、指腹面から深さ方向（内部方向）に調整することができるものである。したがって、図１１に示すように、生体の指を撮像対象（図１１（Ａ））とし、その撮像結果から抽出される血管パターンに対して、第１のフィルタ係数及び第２のフィルタ係数の双方でそれぞれ平滑化した場合、図１１（Ｂ）及び（Ｃ）に示すように、入力画像に映し出される血管パターンの量が大幅に変化することになる。
【００９７】
しかし、血管パターンの写真を撮像対象（図１１（Ｄ））とし、その撮像結果から抽出される血管パターンに対して、第１のフィルタ係数及び第２のフィルタ係数の双方でそれぞれ平滑化した場合、当該写真には深さ方向がないので、図１１（Ｅ）及び（Ｆ）に示すように、入力画像に映し出される血管パターンの量は、生体の指を撮像対象とする場合に比して、変化量が小さい。またこの変化量は、第１のフィルタ係数と第２のフィルタ係数との差の大きさにかかわらずおおよそ一定となる。
【００９８】
したがって平滑化部５４は、第１のフィルタ係数及び第２のフィルタ係数の双方でそれぞれ平滑化した結果同士の類似度が所定閾値以上である場合には、盗用した血管パターンの写真を撮像対象として不正に入力したもの又は盗用した血管パターンを撮像することなく不正に入力させたもの等のように、入力画像が不変的なデータであるとして、当該入力画像を破棄するとともに、その後の処理を停止する（血管登録モード又は認証モードを停止する）。
【００９９】
これに対して平滑化部５４は、類似度が所定閾値未満である場合には、入力画像が不正に入力されたものではないとして、基準とされる第１のフィルタ係数を用いたフィルタ処理結果を、画像データＤ２４として特徴抽出部２５に送出する。
【０１００】
このように、平滑化部５４は、血管深度（指腹面からの深さ）の面が撮像面となるように入力画像を補正し得るという平滑化の特質を利用し、予め規定された２つの補正値（フィルタ係数）で補正（平滑化）し、その結果の類似度を参照することで、入力画像が不変的なデータであるか否かを判定するようになされている。
【０１０１】
ちなみに、この平滑化部５４は、血管深度（指腹面からの深さ）の面が撮像面となるように入力画像を補正し得るという平滑化の特質を利用する点では、平滑化部２４と同じである。
【０１０２】
しかし、平滑化部５４は、予め規定された２つの補正値（フィルタ係数）で補正（平滑化）し、その結果の類似度を参照することで、入力画像が不変的なデータであるか否かを判定することを目的としている点で、入力画像の輝度に応じた補正値（フィルタ係数）で補正（平滑化）することで、撮像環境や撮像状況などの外光変動に起因するむらなどを目立たなくすることを目的とする平滑化部２４とは、相違していることになる。
【０１０３】
（３−Ｂ−２）第２の実施の形態における制御部の認証処理手順
次に、上述した第２の実施の形態における制御部１０の認証処理手順について、図８との対応部分に同一符号を付した図１２に示すフローチャートを用いて説明する。
【０１０４】
すなわち制御部１０は、実行命令ＣＯＭ２を受けると、この認証処理手順ＲＴ２をステップＳＰ０において開始し、上述の認証処理手順ＲＴ１のステップＳＰ１〜ステップＳＰ３の処理と同様にして、血管撮像部１２における撮像素子ＩＤの露出時間が所定の閾値未満であり、かつ、該血管撮像部１２での撮像結果として得られる画像信号Ｓ２０の指輪郭により囲まれる領域が所定の面積以上であれば、当該画像信号Ｓ２０の指輪郭により囲まれる領域をマスクパターンとして生成する（図４）。
【０１０５】
次いで、制御部１０は、ステップＳＰ１４において、基準とされる第１のフィルタ係数と、該基準のフィルタ係数に比して平滑化の程度が大きい又は小さい第２のフィルタ係数とを用いて、入力画像に対してフィルタ処理をそれぞれ施し、ステップＳＰ１５に進んで、これら双方のフィルタ処理結果同士を照合した後、ステップＳＰ１６において、当該フィルタ処理結果同士の類似度が閾値以上であるか否かを判定する。
【０１０６】
ここで、これら双方のフィルタ処理結果同士の類似度が閾値以上である場合、このことは、上述のように、盗用した血管パターンの写真を撮像対象として不正に入力したもの又は盗用した血管パターンを撮像することなく不正に入力させたもの等のように、入力画像が不変的なデータであることを意味する。したがってこの場合、制御部１０は、入力画像を破棄した後に、ステップＳＰ１５に進んでこの認証処理手順ＲＴ２を終了する。
【０１０７】
これに対して、制御部１０は、類似度が閾値未満である場合には、上述の認証処理手順ＲＴ１のステップＳＰ９〜ステップＳＰ１３の処理と同様にして、既に登録された血管のうち外光照度の局所的差異に起因して撮像されなかった部分を照合対象から除外した後に、入力画像と照合する。
【０１０８】
そして制御部１０は、この照合結果として得られる類似度が閾値以上である場合には、ステップＳＰ１４において、動作処理装置（図示せず）に対して外部インターフェース１４（図１）を介して所定の処理を実行させた後、ステップＳＰ１５に進んでこの認証処理手順ＲＴ２を終了する。一方、制御部１０は、類似度が閾値未満である場合には、制御部１０は、ステップＳＰ１６において、登録者ではない旨を通知部１５（図１）を介して通知した後、ステップＳＰ１５に進んでこの認証処理手順ＲＴ２を終了する。
【０１０９】
このような認証処理手順ＲＴ２に従って、制御部１０は認証モードを実行することができるようになされている。
【０１１０】
ちなみに、血管登録モードの場合、制御部１０は、実行命令ＣＯＭ１を受けると、ステップＳＰ１からステップＳＰ９までの各種処理を実行するようになされている。
【０１１１】
（３−Ｂ−３）動作及び効果
以上の構成において、この認証装置１は、基準とされる第１のフィルタ係数と、該基準のフィルタ係数に比して平滑化の程度が大きい又は小さい第２のフィルタ係数とを用いて、入力画像に対してフィルタ処理をそれぞれ施し、これらフィルタ処理結果同士を照合し、当該フィルタ処理結果同士の類似度が閾値以上である場合には、入力画像を破棄する。
【０１１２】
したがって、この認証装置１では、盗用した血管パターンの写真を撮像対象として不正に入力したもの又は盗用した血管パターンを撮像することなく不正に入力させたもの等のように、入力画像が不変的なデータであることを検出することが可能となるため、一定の成りすまし行為を防止することができる。
【０１１３】
以上の構成によれば、入力画像が不変的なデータであることを検出できるようにしたことにより、一定の成りすまし行為を防止することができ、かくして認証精度を向上し得る認証装置１を実現できる。
【０１１４】
（４）他の実施の形態
上述の実施の形態においては、生体部位として、指を適用するようにした場合について述べたが、本発明はこれに限らず、例えば掌、足指、腕、目又は腕等を適用するようにしてもよい。
【０１１５】
また上述の実施の形態においては、生体識別対象（生体パターン）として、血管を適用するようにした場合について述べたが、本発明はこれに限らず、例えば指紋、口紋又は神経等を適用するようにしてもよい。因みに、神経を適用する場合には、例えば神経に特異的なマーカを体内に注入し、当該マーカを撮像するようにすれば、上述の実施の形態と同様にして神経を生体識別対象とすることができる。
【０１１６】
さらに上述の実施の形態においては、撮像カメラＣＭにおける外光照度調整手段としての駆動制御部１２ａが、撮像素子ＩＤから出力すべき画像信号Ｓ２、Ｓ２０のうち所定領域に対応する信号レベルが一定となるように、撮像素子ＩＤにおける光蓄積時間を調整パラメータとして調整（いわゆるＡＬＣ(Auto Light Control)）するようにした場合について述べたが、本発明はこれに限らず、該信号レベルが一定となるように、画像信号Ｓ１、Ｓ１０の輝度レベルを調整パラメータとして調整（いわゆるＡＧＣ(Automatic Gain Control)）するようにしてもよい。また、絞りがある場合には、その絞り値を調整パラメータとして調整するようにしてもよい。また、当該信号レベルが一定となるように、近赤外光光源ＬＳにおける照射光量を調整パラメータとして調整するようにしてもよい。さらに、当該信号レベルが一定となるように、上記の２以上の調整パラメータを調整するようにしてもよく、上記の調整パラメータ以外の調整パラメータを適用するようにしてもよい。
【０１１７】
さらに上述の実施の形態においては、撮像素子における照度に応じて変動する変動情報として、駆動制御部１２ａによる外光照度調整後に、撮像素子ＩＤから出力される画像信号Ｓ２、Ｓ２０の明度を検出するようにした場合について述べたが、本発明はこれに限らず、当該外光照度調整前に、撮像素子ＩＤから出力される画像信号Ｓ１、Ｓ１０の明度を検出するようにしてもよい。
【０１１８】
別の形態として、撮像素子ＩＤから出力される画像信号Ｓ２、Ｓ２０のうち所定領域に対応する信号レベルが一定となるように調整された調整パラメータを検出するようにしてもよい。
【０１１９】
このようにすれば、外光照度調整後の画像信号Ｓ２、Ｓ２０における明度又は調整パラメータを検出する場合に比して、撮像時における本来の外光照度が反映された値を検出することができるため、平滑化部２４において、外光照度に応ずる平滑化処理をより一段と忠実に実行することができ、ひいては認証精度をより一段と向上させることができる。
【０１２０】
また、明度の算出手法として、判定領域ＡＲ（図６）における合計輝度値を適用するようにした場合について述べたが、本発明はこれに限らず、輝度平均、最大値、最小値又は極値等を適用するようにしてもよく、また色差を加味するようにしてもよい。
【０１２１】
また、判定領域ＡＲの選択手法として、上述の実施の形態では、指輪郭を内包する最小の矩形枠ＲＦを設定し、当該矩形枠ＲＦにおける対角線の交点ＩＰから、当該指輪郭内における隣接画素を所定数となるまで順次選択するようにしたが、これに限らず、例えば、指の幅方向（水平方向）における最小となる直線距離の中点と、指の長さ方向（垂直方向）における最小となる直線距離の中点との交点から、当該指輪郭内における隣接画素を所定数となるまで順次選択するようにしてもよい。要は、指輪郭内の中央部分を検出し得るこの他種々の手法を適用することができる。
【０１２２】
ちなみに、画像信号Ｓ２、Ｓ２０のうち判定領域ＡＲ（図６）における明度を検出するようにしたが、必ずしもその必要はなく、当該画像信号Ｓ２、Ｓ２０全体における明度を検出するようにしてもよい。
【０１２３】
さらに上述の実施の形態においては、変動情報に対応付けられたフィルタ係数を用いて、撮像素子から出力される画像信号に対して空間フィルタ処理を施し、該画像信号に含まれる生体識別対象を抽出するフィルタ手段として、ガウシアンフィルタ処理を施すフィルタ処理（平滑化部２４）を適用するようにした場合について述べたが、本発明はこれに限らず、例えばSavitzky-Golayフィルタ処理、ＬＯＧフィルタ処理等、この他種々のものを幅広く適用することができる。
【０１２４】
なお、平滑化部２４では、明度が閾値よりも大きい場合には高輝度に対応する値のフィルタ係数を用いる一方、当該明度が閾値以下となる場合には低輝度に対応する値のフィルタ係数を用いるようにしたが、これに限らず、明度に応ずる複数のフィルタ係数のなかから、そのとき検出された明度に応じて段階的にフィルタ係数を設定し、当該設定したフィルタ係数を用いて平滑化するようにしてもよい。
【０１２５】
フィルタ係数の具体的な設定手法としては、例えば明度と、フィルタ係数との対応付けを予めテーブルとして保持し、当該テーブルに基づいて、そのとき検出された明度に対応付けられたフィルタ係数を設定する手法がある。また別の設定手法としては、例えば明度と、フィルタ係数との対応関係を定式化し、この関係式に基づいて、そのとき検出された明度に対応付けられたフィルタ係数を設定する手法がある。ちなみに、これらの設定手法に限らず、この他種々の設定手法を採用するようにしてもよい。
【０１２６】
また、この平滑化部２４の処理内容と、平滑化部５４の処理内容とを組み合わせるようにしてもよい。具体的には、図８に示す認証処理手順ＲＴ１のステップＳＰ２とステップＳＰ３との間に、認証処理手順ＲＴ２（図１２）のステップＳＰ１４〜ステップＳＰ１６の処理を加える。このようにすれば、一定の成りすまし行為を防止することができるのみならず、外光変動によって大きく変化させずに、登録情報として又は登録情報と照合すべき情報として生成することができるため、当該組み合わせない場合に比して、より一段と認証精度を向上させることができる。
【０１２７】
さらに上述の実施の形態においては、フィルタ手段により空間フィルタ処理された画像信号に対して、２値化処理及び細線化処理を施すようにした場合について述べたが、本発明はこれに限らず、これら処理の一部又は全部を省略する若しくは入れ替える、又は、これら処理に対する新たな処理として例えば、フィルタ手段により抽出された生体識別情報（生体パターン）における特徴点を抽出する処理などを加えるようにしてもよい。ちなみに、処理の順序についても適宜変更することができる。
【０１２８】
さらに上述の実施の形態においては、撮像機能、照合機能及び登録機能を有する認証装置１を適用するようにした場合について述べたが、本発明はこれに限らず、当該機能ごとに単体の装置に分けた態様で適用する等、用途等に応じて種々の態様で適用することができる。
【産業上の利用可能性】
【０１２９】
本発明は、バイオメトリクス認証する分野に利用可能である。
【図面の簡単な説明】
【０１３０】
【図１】本実施の形態による認証装置の全体構成を示すブロック図である。
【図２】撮像対象に対する照度の局所的差異に起因する血管量の相違を示す略線図である。
【図３】制御部における画像処理及び照合処理の処理内容（１）を示す略線図である。
【図４】マスクパターンの生成の説明に供する略線図である。
【図５】判定領域の選択の説明に供する略線図である。
【図６】判定領域の選択例を示す略線図である。
【図７】登録された血管の切り出しの説明に供する略線図である。
【図８】認証処理手順（１）を示すフローチャートである。
【図９】制御部における画像処理及び照合処理の処理内容（２）を示す略線図である。
【図１０】ＬＯＧフィルタの形状を示す略線図である。
【図１１】平滑化の程度と、血管パターン量との関係を示す略線図である。
【図１２】認証処理手順（２）を示すフローチャートである。
【符号の説明】
【０１３１】
１……認証装置、１０……制御部、１１……操作部、１２……血管撮像部、１２ａ……駆動制御部、１３……フラッシュメモリ、１４……外部インターフェース、１５……通知部、１５ａ……表示部、１５ｂ……音声出力部、２１……前処理部、２２……マスクパターン生成部、２３……明度検出部、２４、５４……平滑化部、２５……特徴抽出部、２６……登録画像切出部、２７……照合部、ＬＳ……近赤外光光源、ＣＭ……撮像カメラ、ＯＰ……光学系、ＤＨ……絞り、ＩＤ……撮像素子、ＲＴ１、ＲＴ２……認証処理手順。
【図１】
2007334854.tif 000004
【図２】
2007334854.tif 000005
【図３】
2007334854.tif 000006
【図４】
2007334854.tif 000007
【図５】
2007334854.tif 000008
【図６】
2007334854.tif 000009
【図７】
2007334854.tif 000010
【図８】
2007334854.tif 000011
【図９】
2007334854.tif 000012
【図１０】
2007334854.tif 000013
【図１２】
2007334854.tif 000014
【図１１】
2007334854.tif 000015